(57)【要約】【課題】菜の花などのような、枝に種子の生りが弱い収穫物の収穫量を向上させるコンバインを提供する。【解決手段】機体の前部に刈取部２１を配設し、この刈取部２１は、プラットフォーム１９の前部下端に刈刃２２を横設するとともに、刈刃２２は、プラットフォーム１９の前部に設置した刈取駆動ケース４８からリンク機構ｒを介して伝達される駆動力により駆動し、この刈取部２１には、刈刃２２より後方のプラットフォーム１９を分割可能とする分割部６１を設けるとともに、この分割部６１には、刈刃２２で刈り取った収穫物から落脱する種子を回収する延長収穫部６２を着脱自在に備える。【選択図】図８
2013135619.tif 000002
【特許請求の範囲】
【請求項１】
機体の前部に刈取部を配設し、
前記刈取部は、プラットフォームの前部下端に刈刃を横設するとともに、
前記刈刃は、前記プラットフォームの前部に設置した刈取駆動ケース内の動力伝達部材から伝達部材によりリンク機構を介して伝達される駆動力により駆動するコンバインにおいて、
前記刈取部には、前記刈刃より後方の前記プラットフォームを分割可能とする分割部を設けるとともに、前記分割部には、前記刈刃で刈り取った収穫物から落脱する種子を回収する延長収穫部を着脱自在に備えたことを特徴とするコンバイン。
【請求項２】
前記延長収穫部の外側端部には、前記刈取駆動ケースと同じ側に、動力伝動部材を内設した刈刃駆動ケースを設置したことを特徴とする、請求項１に記載のコンバイン。
【請求項３】
前記動力伝達部材は、前記刈取部に前記延長収穫部を装着した際、前記伝達部材のテンション部としたことを特徴とする、請求項１に記載のコンバイン。
【請求項４】
前記刈取部は、前記分割部により前部刈取部および後部刈取部に分離可能に構成し、前記前部刈取部の後部と、前記延長収穫部の前後部と、前記後部刈取部の前部とに、車両左右方向に亘ってガイドレールを形成したことを特徴とする、請求項１に記載のコンバイン。
【請求項５】
前記延長収穫部または/および前記前部刈取部の底面に、移動補助部材を着脱自在に設置したことを特徴とする、請求項１または４に記載のコンバイン。
【請求項６】
前記刈刃駆動ケース内の前記動力伝達部材の外側に、該動力伝達部材と同一の軸心にし、前記動力伝達部材の回転に従動して回転する伝達部材を設置するとともに、前記延長収穫部の装着時に前記伝達部材と、前記動力伝動部材とを伝動部材で連結させたことを特徴とする、請求項１または２に記載のコンバイン。
【請求項７】
前記刈刃駆動ケース内の動力伝動部材は、電動モータとしたことを特徴とする、請求項２に記載のコンバイン。
【発明の詳細な説明】
【技術分野】
【０００１】
本発明は、機体の前部に刈取部を配設し、刈取部は、プラットフォームの前部下端に刈刃を横設するとともに、刈刃は、プラットフォームの前部に設置した刈取駆動ケース内の動力伝達部材から伝達部材によりリンク機構を介して伝達される駆動力により駆動するコンバインに関し、より詳細には、刈取部には、刈刃より後方のプラットフォームを分割可能とする分割部を設けるとともに、分割部には、刈刃で刈り取った収穫物から落脱する種子を回収する延長収穫部を着脱自在に備えたコンバインに関する。
【背景技術】
【０００２】
従来のコンバインは、圃場において収穫物の刈取り作業を行う際には、穀稈などの収穫物を、機体最前部の分草板で分草し、リールの回転によって収穫物を掻き込み、プラットフォームの前部下端に設置した刈刃で収穫物の株元側を刈取り、これら刈り取られた収穫物は、横送りオーガの回転によって中央側へ横送りされ、中央のフィーダハウス前端からフィーダコンベアによって後方の脱穀部へ搬送され、この脱穀部で脱穀された穀粒（実）をグレンタンク内に収納させる（例えば、特許文献１や特許文献２など）ものがある。
【先行技術文献】
【特許文献】
【０００３】
【特許文献１】特開２００１−２９９０４１号公報
【特許文献２】特開平１１−４６１９号公報
【発明の概要】
【発明が解決しようとする課題】
【０００４】
上記のようなコンバインでは、収穫物が稲や麦などの場合には、穀稈に穀粒が比較的強く生っているため、刈刃で株元側を刈取ってもそれら穀稈から穀粒が脱粒することは少なく、穀粒が生った穀稈を機体後部の脱穀部へ搬送させることができる。しかしながら、収穫物が、例えば菜の花などのようなものでは、枝に菜種などの種子の生り（付き）が弱いため、そのような菜の花などの収穫物を収穫する際、刈刃で株元側を刈取る最中や、フィーダハウスへの搬送中などの刈取工程で、外部から加わる力により、枝から多くの種子（菜種）が脱粒してしまう。このため、収穫したい種子が機体前部の刈取部において圃場面に落下し、収穫ロスによる収穫量が低いという問題があった。
そこで、この発明の目的は、菜の花などのような、枝に種子の生りが弱い収穫物の収穫量を向上させるコンバインを提供するものである。
【課題を解決するための手段】
【０００５】
このため、請求項１に記載の発明は、機体の前部に刈取部を配設し、前記刈取部は、プラットフォームの前部下端に刈刃を横設するとともに、前記刈刃は、前記プラットフォームの前部に設置した刈取駆動ケース内の動力伝達部材から伝達部材によりリンク機構を介して伝達される駆動力により駆動するコンバインにおいて、前記刈取部には、前記刈刃より後方の前記プラットフォームを分割可能とする分割部を設けるとともに、前記分割部には、前記刈刃で刈り取った収穫物から落脱する種子を回収する延長収穫部を着脱自在に備えたことを特徴とする。
【０００６】
請求項２に記載の発明は、請求項１に記載のコンバインにおいて、前記延長収穫部の外側端部には、前記刈取駆動ケースと同じ側に、動力伝動部材を内設した刈刃駆動ケースを設置したことを特徴とする。
【０００７】
請求項３に記載の発明は、請求項１に記載のコンバインにおいて、前記動力伝達部材は、前記刈取部に前記延長収穫部を装着した際、前記伝達部材のテンション部としたことを特徴とする。
【０００８】
請求項４に記載の発明は、請求項１に記載のコンバインにおいて、前記刈取部は、前記分割部により前部刈取部および後部刈取部に分離可能に構成し、前記前部刈取部の後部と、前記延長収穫部の前後部と、前記後部刈取部の前部とに、車両左右方向に亘ってガイドレールを形成したことを特徴とする。
【０００９】
請求項５に記載の発明は、請求項１または４に記載のコンバインにおいて、前記延長収穫部または/および前記前部刈取部の底面に、移動補助部材を着脱自在に設置したことを特徴とする。
【００１０】
請求項６に記載の発明は、請求項１または２に記載のコンバインにおいて、前記刈刃駆動ケース内の前記動力伝達部材の外側に、該動力伝達部材と同一の軸心にし、前記動力伝達部材の回転に従動して回転する伝達部材を設置するとともに、前記延長収穫部の装着時に前記伝達部材と、前記動力伝動部材とを伝動部材で連結させたことを特徴とする。
【００１１】
請求項７に記載の発明は、請求項２に記載のコンバインにおいて、前記刈刃駆動ケース内の動力伝動部材は、電動モータとしたことを特徴とする。
【発明の効果】
【００１２】
請求項１に記載の発明によれば、機体の前部に刈取部を配設し、刈取部は、プラットフォームの前部下端に刈刃を横設するとともに、刈刃は、プラットフォームの前部に設置した刈取駆動ケース内の動力伝達部材から伝達部材によりリンク機構を介して伝達される駆動力により駆動するコンバインにおいて、刈取部には、刈刃より後方のプラットフォームを分割可能とする分割部を設けるとともに、分割部には、刈刃で刈り取った収穫物から落脱する種子を回収する延長収穫部を着脱自在に備えたので、枝などから落脱し易い種子を有する菜の花などの収穫物をコンバインで刈り取る際に、プラットフォームの分割部に装着した延長収穫部により、刈刃で刈取直後に落脱した種子を圃場に落下させることなく延長収穫部内に無駄なく回収することができる。従って、収穫量を上げて作業性を向上させたコンバインを提供することができる。
【００１３】
請求項２に記載の発明によれば、延長収穫部の外側端部には、刈取駆動ケースと同じ側に、動力伝動部材を内設した刈刃駆動ケースを設置したので、プラットフォームの分割部に延長収穫部を装着させる際、刈刃に動力を伝達するベルトなどの伝動部材を刈取駆動ケースから刈刃駆動ケースに、作業者が大きく移動することなく最短距離で簡単に掛け替えることができる。従って、作業性を向上させたコンバインを提供することができる。
【００１４】
請求項３に記載の発明によれば、動力伝達部材は、刈取部に延長収穫部を装着した際、伝達部材のテンション部としたので、刈取駆動ケースから刈刃駆動ケースに掛け替えたベルトの撓みなどを防ぎ、ベルトの張り具合を調節して、刈刃を円滑に駆動させることができる。従って、作業性を向上させたコンバインを提供することができる。
【００１５】
請求項４に記載の発明によれば、刈取部は、分割部により前部刈取部および後部刈取部に分離可能に構成し、前部刈取部の後部と、延長収穫部の前後部と、後部刈取部の前部とに、車両左右方向に亘ってガイドレールを形成したので、延長収穫部着脱の際には、それぞれをガイドレールに沿って容易に位置決めして装着し易く、また取り外しを容易にすることができる。従って、作業性を向上させたコンバインを提供することができる。
【００１６】
請求項５に記載の発明によれば、延長収穫部または/および前部刈取部の底面に、移動補助部材を着脱自在に設置したので、延長収穫部を着脱する際には、前部刈取部および延長収穫部を移動補助部材により楽に所定の位置に移動させることができる。従って、作業性を向上させたコンバインを提供することができる。
【００１７】
請求項６に記載の発明によれば、刈刃駆動ケース内の動力伝達部材の外側に、この動力伝達部材と同一の軸心にし、動力伝達部材の回転に従動して回転する伝達部材を設置するとともに、延長収穫部の装着時に伝達部材と、動力伝動部材とを伝動部材で連結させたので、延長収穫部を装着させる際には、リンク機構が動力伝達部材（プーリ）から離れ、動力伝動部材（プーリ）に接続されているため、刈取プーリより伝達部材（ベルト）を介して動力伝達部材（プーリ）に伝達された動力は、動力伝達部材（プーリ）を空転させるとともに、伝動部材（ベルト）からベルトによりリンク機構を介して刈刃を駆動させる。そのため、伝動部材（プーリ）と動力伝動部材（プーリ）との短距離間に、伝達部材（ベルト）より短いベルトを巻回させるだけでよい。従って、作業性を向上させたコンバインを提供することができる。
【００１８】
請求項７に記載の発明によれば、刈刃駆動ケース内の動力伝動部材は、電動モータとしたので、延長収穫部を着脱させる場合には、リンク機構に対して電動モータの駆動軸を接続または接続解除することで、伝達部材（ベルト）を付け替える必要がなく、さらにリンク機構を介した刈刃への動力伝達を電動モータによって簡単な構成にすることができる。従って、作業性を向上させたコンバインを提供することができる。
【図面の簡単な説明】
【００１９】
【図１】本発明の一例としての普通型コンバインの左側面図である。
【図２】同コンバインにおける刈取部の拡大側面図である。
【図３】穀稈搬送装置の平面図である。
【図４】上部搬送ケースの一部断面平面図である。
【図５】刈取部の左側面模式図である。
【図６】刈取部の右側面模式図である。
【図７】刈取部を上方から見た斜視図である。
【図８】延長収穫部を装着した刈取部の斜視図である。
【図９】延長収穫部を備える刈取部の組立図である。
【図１０】延長収穫部装着前における刈取駆動ケースへのベルト伝達構成を示す刈取部の側面図である。
【図１１】延長収穫部装着後における刈刃駆動ケースへのベルト伝達構成を示す刈取部の側面図である。
【図１２】延長収穫部装着後における刈刃駆動ケースへのベルト伝達構成の他の例を示す刈取部の側面図である。
【図１３】延長収穫部を装着しない刈取部での菜の花の刈取状態を示す側面模式図である。
【図１４】延長収穫部を装着した刈取部での菜の花の刈取状態を示す側面模式図である。
【図１５】底面にキャスターを取付けた延長収穫部の例を示す刈取部の組立図である。
【図１６】延長収穫部を前部刈取部および後部刈取部にスライドレールで装着させる例を示す刈取部の組立図である。
【図１７】延長収穫部後端部と前部刈取部前端部とのスライドレールの接合部分を示した側面模式図である。
【図１８】電動モータを設置した延長収穫部を装着する刈取部の斜視図である。
【発明を実施するための形態】
【００２０】
以下図面を参照しつつ本発明を実施するための最良の形態について説明する。
図１は本発明の一例としての普通型コンバインの左側面図、図２は同コンバインにおける刈取部の拡大側面図、図３は穀稈搬送装置の平面図である。
【００２１】
この例のコンバイン１は、図１に示すように、機体下部に備えたクローラ式型走行装置２の上部には、機体フレーム３が載置される。そして、この機体フレーム３の前部に配設されたそれぞれ図示しないミッションケースやエンジン室などの上方には、キャビン６が設置されるとともに、機体前端部には刈取部２１が配設される。
【００２２】
また、機体フレーム３の中央から後部にかけては、それぞれ図示しない唐箕やチャフシーブ、流穀板などからなる選別装置が配置されるとともに、この選別装置の上部には、クリンプ網やスクリューロータなどからなる脱穀装置５が配設される。さらに、キャビン６の後部にはグレンタンク１４が配設されるとともに、このグレンタンク１４の上側には、排出オーガ１５が突設される。
【００２３】
また、前記スクリューロータの前端には、図示しないフィーダコンベアを内蔵したフィーダハウス１７が連設される。このフィーダハウス１７は、機体フレーム３の前端との間に介在した油圧シリンダ１８によって昇降される。
【００２４】
そして、フィーダハウス１７の前部には、プラットフォーム１９が突設され、このプラットフォーム１９内には、図２に示すように横送りオーガ２０が横設されるとともに、プラットフォーム１９の前方には、前端に分草板ｄを突設した刈取部２１が横設されている。なお、刈取部２１には、図１に示した分草板ｄにより分草された穀桿などの収穫物を後方へ掻き込むための、掻込リール４が設置される。
【００２５】
刈取部２１は、下部に刈刃２２を設けるとともに、この刈刃２２の上方には、大豆などの作物を掻込んで横送りオーガ２０側へ搬送する、搬送ケース２４を備える穀稈搬送装置２３が設けられる。なお、搬送ケース２４は、左右一対の複数組からなるものであり、図３に示す例では、２組の搬送ケース２４を示したものである。
【００２６】
この搬送ケース２４内には、前部に位置する駆動プーリｐ１と、後部に位置するアイドラプーリｐ２との間に、無端状、かつ高さを有する（幅広）の穀稈搬送ベルトｂが巻回されており、この搬送ベルトｂには、穀稈を引起すための複数のタイン３１が等間隔に取付けられている。
【００２７】
なお、図４に示すように、前部に位置する下側スプロケット２６，２７と、後部に位置する上側スプロケット２８との間に、無端状、かつ高さを有する（幅広）の搬送チェーン３０を巻回してもよく、この搬送チェーン３０に、複数のタイン３１を等間隔に取付ける構成にしてもよい。なお、符号３２は駆動スプロケット、符号３３は伝動スプロケット、符号３４は駆動チェーンである。
【００２８】
そして、これら左右一対の搬送ケース２４のそれぞれの間には、穀稈の搬送経路４０を設けて、この搬送経路４０に沿って搬送ベルトｂとともにタイン３１を、搬送ケース２４の前部から後部方向に、エンジンの動力から周知の技術で回動移動させる構成とされる。
【００２９】
従って、刈取部２１において、刈刃２２により刈り取られた収穫物は、収穫物送装置２３における各組ごとに、搬送ケース２４のタイン３１に挟持されながら、搬送経路４０内をプラットフォーム１９へ搬送され、このプラットフォーム１９から、さらに搬送されて、機体後部の脱穀装置５で処理される。
【００３０】
次に、刈刃９の動力伝達構成を説明する。図５は刈取部の右側面模式図、図６は刈取部の左側面模式図、図７は刈取部を上方から見た斜視図である。これら図５〜７に示すように、フィーダハウス１７後部の側面には、前記エンジンからの動力を伝達する駆動伝達経路として、搬送駆動入力軸４１端部にスプロケット４２が設けられている。
【００３１】
一方、プラットフォーム１９後面の一側（図例では右側面）に動力分岐ケース４３が配置され、この動力分岐ケース４３には、左右に軸芯を有する刈取伝達軸４４が回動自在に横架され、この刈取伝達軸４４の下方端部には、動力分岐ケース４３より側方のプラットフォーム１９側部まで延出させた刈取プーリ４５が固設されている。
【００３２】
また、刈取プーリ４５前方の、プラットフォーム１９側面に軸支された横送りオーガ２０のオーガ駆動軸４６に従動プーリ４７が固設されており、刈取プーリ４５より不図示のベルトを介して刈取伝達軸４４の駆動が横送りオーガ２０に伝達される。
【００３３】
そして、プラットフォーム１９側面前部には、図６に例示するような刈取駆動ケース４８が固設され、刈取プーリ４５より伝達部材としてのベルト５０（以下ベルトは、合成ゴムなどからなるベルトを例示するが、これに限定するものではなく、金属製チェーンなどでもよい）を介して刈取駆動ケース４８内に軸支される動力伝達部材としてのプーリ５１に動力を伝達して刈取駆動ケース４８内に駆動力が伝達され、図示しないアームやクランクロッドなど周知のリンク機構ｒを介して刈刃２２の駆動刃を左右方向に往復動させ、収穫物の株元を切断する構成とされる。なお、刈取駆動ケース４８は、後述する図７以降では説明の便宜上、図示を省略する。
【００３４】
次に、本願発明の特徴である、刈取部の延長収穫部についてその具体的構成を説明する。図８は延長収穫部を装着した刈取部の斜視図、図９は延長収穫部を備える刈取部の組立図、図１０は延長収穫部装着前における刈取駆動ケースへのベルト伝達構成を示す刈取部の側面図、図１１は延長収穫部装着後における刈刃駆動ケースへのベルト伝達構成を例示する刈取部の側面図、図１２は延長収穫部装着後における刈刃駆動ケースへのベルト伝達構成の他の例を示す刈取部の側面図である。
【００３５】
さらに、図１３は延長収穫部を装着しない刈取部での菜の花の刈取状態を示す側面模式図、図１４は延長収穫部を装着した刈取部での菜の花の刈取状態を示す側面模式図である。
【００３６】
本願発明のコンバイン１の刈取部２１は、図８に示すように、横送りオーガ２０と、刈刃２２との間のプラットフォーム１９に、刈取部２１の左右方向に亘ってプラットフォーム１９を分割（分断）可能とする分割部６１が形成され、前部刈取部２１ａと後部刈取部２１ｂに分断されるとともに、これら前部刈取部２１ａおよび後部刈取部２１ｂ間に延長収穫部６２が挟装される。
【００３７】
延長収穫部６２は、図９に示すように、前部刈取部２１ａおよび後部刈取部２１ｂと同一形状の底板を備える正面視略コ字形状を有し、車両前後方向の長さは、図例では前部刈取部２１ａの車両前後長さ程度を示しているが、これに限定されず任意の車両前後長さにすることができる。
【００３８】
この延長収穫部６２には、後部刈取部２１ｂの一側面（図例では右側面だが、限定しない）に設置した刈取駆動ケース４８と同一側面に、前記エンジンからの動力を、刈刃２２を駆動する上述したリンク機構ｒに伝達する、動力伝動部材としてのプーリ６３を内設する刈刃駆動ケース６４が設けられる。
【００３９】
また、例えば、上述したそれぞれ前部刈取部２１ａおよび延長収穫部６２の各左右後部の底面などには、ボルト穴を有するステー６５を後方へ向けて突設させるとともに、延長収穫部６２および後部刈取部２１ｂの各左右前部の底面などには、ボルト穴を有する固定部６６が形成される。
【００４０】
ここで、刈取部２１に、延長収穫部６２を装着する方法について、図７および図９〜１１を用いて説明する。上述の図７および図１０に示したように、延長収穫部６２を装着しない状態の刈取部２１は、前部刈取部２１ａと、後部刈取部２１ｂとが、分割部６１を介してステー６５を固定部６６にボルトなどで締結されるとともに、予めボルト穴が形成された前部刈取部２１ａの左右後部上面と、後部刈取部２１ｂの左右前部上面とが、ボルト穴を有するステー６７によりボルト締結されることで、両者が連結固定されている。
【００４１】
次に、刈取プーリ４５とプーリ５１との間を巻回するベルト５０を取外すとともに、上述したステー６５およびステー６７のボルト締結を解除してこれらステー６５，６７を  取り外すことで、前部刈取部２１ａと、後部刈取部２１ｂとを分割部６１を境にして前後に分割する。
【００４２】
そして、図９に示すように、前部刈取部２１ａと、後部刈取部２１ｂの間に延長収穫部６２を挟入し、延長収穫部６２と後部刈取部２１ｂとを、それぞれ左右底面はステー６５を固定部６６にボルト締結させるとともに、左右上面はステー６８でボルト締結などして両者を連結固定する。
【００４３】
次いで、前部刈取部２１ａと延長収穫部６２とを、それぞれ左右底面はステー６５を固定部６６にボルト締結させるとともに、左右上面はステー６９でボルト締結などして両者を連結固定する。
【００４４】
次に、上述したベルト５０よりも長さを有する伝達部材としてのベルト７０を、刈取プーリ４５とプーリ６３との間で巻回させて取付けるが、この際、ベルト７０は、プーリ５１を介して巻回（図例ではプーリ５１の下部に沿って巻回させているが、プーリ５１の上部に沿って巻回させてもいい）せることで、このプーリ５１が、ベルト７０の支持部材になるとともに、ベルト７０の張り具合を調節するテンション機構の役目を果たすことができる。
【００４５】
このような構成にすることで、前部刈取部２１ａと、後部刈取部２１ｂの間に延長収穫部６２を装着させた際には、前部刈取部２１ａに備える刈刃２２の位置が前方に移動するため、この刈刃２２を駆動させるリンク機構ｒに接続したプーリ６３を、刈取プーリ４５との間でベルト７０に付け替える容易な作業により刈刃２２を駆動させることができる。
【００４６】
なお、刈取プーリ４５とプーリ６３との間のベルトによる動力伝達経路は、上述の構成に限定されず、例えば図１２に示すような構成にしてもよい。この場合、プーリ５１の外側に、このプーリ５１と同一の軸心とし、プーリ５１の回転に従動して回転する伝動部材としてのプーリ７１を設置する。
【００４７】
そして、刈取プーリ４５とプーリ５１との間には、延長収穫部６２を装着しない状態おいて（延長収穫部６２の装着の有無に係らず）上述したベルト５０が常時巻回されることで、刈取プーリ４５よりベルト５０を介してプーリ５１に伝達された動力は、さらにリンク機構ｒを介して刈刃２２を駆動させる。
【００４８】
次いで、上述のように前部刈取部２１ａと、後部刈取部２１ｂの間に延長収穫部６２を装着させた場合には、プーリ７１とプーリ６３との間にベルト７２を巻回させる。このとき、刈取プーリ４５とプーリ５１との間のベルト５０は常時巻回される構成のため、延長収穫部６２の装着によりベルト５０を取外す必要はない。
【００４９】
このため、延長収穫部６２を装着させた際には、リンク機構ｒがプーリ５１から離れ、プーリ６３に接続されているため、刈取プーリ４５よりベルト５０を介してプーリ５１に伝達された動力は、プーリ５１を空転させるとともに、プーリ７１からベルト７２によりリンク機構ｒを介して刈刃２２を駆動させる。
【００５０】
このような構成にすることで、延長収穫部６２を装着させたときは、プーリ７１とプーリ６３との短距離間に、ベルト５０より短いベルト７２を巻回させるだけでよく、作業効率を一層向上させることができる。
【００５１】
そして、以上のような構成により、まず、図１３に示す、延長収穫部６２を装着しない刈取部２１で圃場の収穫物を刈取る場合、例えば収穫物の例として、枝などから落脱し易い種子を有する菜の花（限定しない）などを刈取る際、刈刃２２によって株元が切断されるとともに、掻込リール４によってプラットフォーム１９内に掻き込まれた菜の花は、このような刈刃２２や掻込リール４による接触や振動を受けることで、生り（付き）が弱い菜種（種子）が枝などから脱粒落下し易い。
【００５２】
そのため、刈取った、菜種が生る稈を、横送りオーガ２０を介してフィーダーハウス内に搬送する前に、これら菜種の多くが枝から落下してしまい、それら菜種がプラットフォーム１９の前方から圃場に落下してしまったり、プラットフォーム１９内で落下した菜種でも、それらが堆積したプラットフォーム１９前部から圃場に落下し、菜種の収穫量が減少してしまっていた。
【００５３】
これに対し、図１４に示すように、延長収穫部６２を装着させた刈取部２１で菜の花を刈取る場合には、上記同様に刈刃２２や掻込リール４で刈取った稈は、プラットフォーム１９内で枝から菜種が落下するが、このとき、延長収穫部６２によりプラットフォーム１９底部の前後長さが長くなっているため、枝から落下した菜種を延長収穫部６２上（長いプラットフォーム１９底部分）に堆積させることができる。
【００５４】
つまり、菜の花の刈取りに伴い、枝から脱粒した菜種を、上述したようにプラットフォーム１９前方から圃場に落下させることなく、延長収穫部６２を含むプラットフォーム１９底部に捕集させることができ、菜種（種子）の収穫量を向上させることができる。
【００５５】
なお、プラットフォーム１９底部に捕集し菜種は、適宜堆積量に応じて油圧シリンダ１８などによりプラットフォーム１９を昇降傾斜などさせて、プラットフォーム１９内から取り出し収容することができる。
【００５６】
なお、延長収穫部６２の装着方法は上述した構成に限定されず、以下のような構成にすることもできる。図１５は底面にキャスターを取付けた延長収穫部の例を示す刈取部の組立図、図１６は延長収穫部を前部刈取部および後部刈取部にガイドレールで装着させる例を示す刈取部の組立図、図１７は延長収穫部後端部と前部刈取部前端部とのガイドレールの嵌合部分を示した側面模式図である。
【００５７】
この場合、図１５に示すように、例えば、延長収穫部６２´および前部刈取部２１ａ´のそれぞれ左右底面には、キャスターなどの移動補助部材７３を取付けてもよい。
【００５８】
このような構成にすることで、上述したような方法により刈取部２１に延長収穫部６２´を着脱する際には、後部刈取部２１ｂに対して前部刈取部２１ａ´を、移動補助部材７３により楽に移動（前部刈取部２１ａ´を着脱）できるとともに、後部刈取部２１ｂと前部刈取部２１ａ´との間に延長収穫部６２´を、移動補助部材７３により所定の位置まで楽に移動させて延長収穫部６２´を着脱することができる。なお、ステー６５，６７、６８、６９による固定は上述同様であるため、説明は省略する。
【００５９】
なお、移動補助部材７３は着脱可能とし、前部刈取部２１ａ´および延長収穫部６２´を装着した際には移動補助部材７３を取外すことで、刈取作業の支障になることを防ぐことができる。
【００６０】
また、延長収穫部の装着方法は、図１６に示す構成にすることもできる。この場合、例えば、延長収穫部６２´´の前部は、左右方向に亘り略凹字形状のガイドレール７４および延長収穫部６２´´の後部は、左右方向に亘り略凸字形状のガイドレール７５が形成される。
【００６１】
さらに、後部刈取部２１ｂ´の前部には、左右方向に亘り、延長収穫部６２´´後部のガイドレール７５を嵌合可能とする略凹字形状のガイドレール７４が形成されるとともに、前部刈取部２１ａ´´後部には、左右方向に亘り延長収穫部６２´´前部のガイドレール７４に嵌合可能とする略凸字形状のガイドレール７５が形成される。なお、上述したガイドレールの形状および形成順は適宜設計することができる。
【００６２】
そして、上述同様に刈取部２１に延長収穫部６２´´を着脱する際には、例えば、後部刈取部２１ｂ´と、前部刈取部２１ａ´´との間に位置させた延長収穫部６２´´は、後部刈取部２１ｂ´に対して左右一側方からその後部のガイドレール７５を例えば図１７に示すように、後部刈取部２１ｂ´前部のガイドレール７４に摺動させながら嵌合する。
【００６３】
次いで、前部刈取部２１ａ´´を延長収穫部６２´´に対して左右一側方から、その後部のガイドレール７５を、延長収穫部６２´´前部のガイドレール７４に嵌合して摺動させる。なお、図例では記載していないが、これら延長収穫部６２´´および前部刈取部２１ａ´´の左右底面には、上述したような移動補助部材７３を着脱可能に取付けてもよい。
【００６４】
このような構成にすることで、作業者は、延長収穫部６２´´の着脱の際には後部刈取部２１ｂ´に対してガイドレール７４，７５および、前部刈取部２１ａ´´を延長収穫部６２´´または後部刈取部２１ｂ´に対してガイドレール７４，７５に沿って位置決めを容易にするとともに楽に着脱させることができる。なお、ステー６５，６７、６８、６９による固定は上述同様であるため、説明は省略する。
【００６５】
延長収穫部の着脱には、上述したベルト５０，７０，７２の付け替えまたは着脱する方法に限定されず、以下のような構成にしてもよい。図１８は電動モータを設置した延長収穫部を装着する刈取部の斜視図である。
【００６６】
この場合、図１８に示すように、後部刈取部２１ｂ´´に取付けられた延長収穫部６２´´´の左右一側面（前部刈取部２１ａ´´のリンク機構ｒが設置されている面と同じ側面、図例では右側面）の刈刃駆動ケース６４内には、電動モータ７６が取付けられる。なお、延長収穫部６２´´´の着脱方法は、上述したようなどの構成を用いてもよい。
【００６７】
また、この電動モータ７６は、車両に搭載される図示しないバッテリーに配線が接続されるとともに、駆動軸７７は、リンク機構ｒに接続可能となるよう刈刃駆動ケース６４から前方のリンク機構ｒ側に突設される。
【００６８】
このような構成により、刈取部２１に延長収穫部６２´´´を着脱させる場合には、リンク機構ｒに対して電動モータ７６の駆動軸７７を接続または接続解除することで、ベルト５０、７０を付け替える必要がなく、さらにリンク機構ｒを介した刈刃２２への動力伝達を電動モータ７６によって簡単な構成にすることができる。従って、延長収穫部６２´´´の着脱作業性をより一層向上させることができる。
【００６９】
以上詳述したように、この例のコンバイン１は、機体の前部に刈取部２１を配設し、この刈取部２１は、プラットフォーム１９の前部下端に刈刃２２を横設するとともに、刈刃２２は、プラットフォーム１９の前部に設置した刈取駆動ケース４８からリンク機構ｒを介して伝達される駆動力により駆動し、この刈取部２１には、刈刃２２より後方のプラットフォーム１９を分割可能とする分割部６１を設けるとともに、この分割部６１には、刈刃２２で刈り取った収穫物から落脱する種子を回収する延長収穫部６２を着脱自在に備えたものである。
【産業上の利用可能性】
【００７０】
なお、この発明は、プラットフォームを有する刈取部を備え、枝に種子の生り（付き）が弱い収穫物を収穫する場合などに用いられる、あらゆるコンバインに適用することができる。
【符号の説明】
【００７１】
１９    プラットフォーム
２１    刈取部
２１ａ    前部刈取部
２１ｂ    後部刈取部
２２    刈刃
４８    刈取駆動ケース
５０    ベルト（伝達部材）
５１    プーリ（動力伝達部材）
６１    分割部
６２    延長収穫部
６３    プーリ（動力伝動部材）
６４    刈刃駆動ケース
７０    ベルト（伝達部材）
７１    プーリ（伝動部材）
ｒ    リンク機構
【図１】
2013135619.tif 000003
【図２】
2013135619.tif 000004
【図３】
2013135619.tif 000005
【図４】
2013135619.tif 000006
【図５】
2013135619.tif 000007
【図６】
2013135619.tif 000008
【図７】
2013135619.tif 000009
【図８】
2013135619.tif 000010
【図９】
2013135619.tif 000011
【図１０】
2013135619.tif 000012
【図１１】
2013135619.tif 000013
【図１２】
2013135619.tif 000014
【図１３】
2013135619.tif 000015
【図１４】
2013135619.tif 000016
【図１５】
2013135619.tif 000017
【図１６】
2013135619.tif 000018
【図１７】
2013135619.tif 000019
【図１８】
2013135619.tif 000020